(57)【要約】【課題】ネットワークプリンタ１とクライアント端末装置２からなる画像形成システムにおいて、ユーザが同じ色合いで印刷したい一連の連続する画像データを印刷する場合を選択することができ、その選択した一連の連続する画像データを印刷している間は、画像データを補正する際に使用される色補正データの生成を禁止する。【解決手段】  複数の画像データがあり、それらの画像データを同じ画像の色合いで連続して印刷する場合に、同じ画像の色合いで連続して印刷することを選択することができる。そして同じ画像の色合いで連続して印刷することが選択されると、クライアント端末装置２は、送信される画像データとともに、色補正データの生成を禁止する禁止命令を送信する。ネットワークプリンタ１は、その禁止命令を受信すると、同じ画像の色合いで印刷したい画像データの連続印刷が終了するまで、色補正データの生成を禁止する。【選択図】        図９
2010108226.tif 000002
【特許請求の範囲】
【請求項１】
印刷すべき画像情報を画像形成装置に送信する情報処理装置と、生成される色補正データを用いて画像情報を補正して印刷を実行する画像形成部を有する画像形成装置とからなり、
前記情報処理装置と前記画像形成装置との少なくともいずれか一方に、その画像情報を補正する際に使用される色補正データの生成を指示する指示部を有し、
前記情報処理装置は、
印刷すべき画像情報が一連の連続する画像情報であり、連続して印刷するか否かを選択する選択部と、
その選択部によって一連の連続する画像情報であることが選択にされると、送信される画像情報と、色補正データの生成を禁止する禁止命令とを送信する禁止送信部と、
を備え、
前記画像形成装置は、
前記指示部からの指示に基づき、色補正データを生成する色補正データ生成部と、
前記連続して印刷すべき画像情報並びに前記禁止送信部から送信される色補正データの生成を禁止する禁止命令を受信する受信部と、
前記指示部によって色補正データの生成が指示されているにもかかわらず、前記受信部が一連の連続する画像情報と色補正データの生成を禁止する禁止命令を受信した際には、一連の連続する画像情報の印刷が前記画像形成部によって終了するまで色補正データの生成を禁止する禁止制御部と、
を備えたことを特徴とする画像形成システム。
【請求項２】
前記選択部は、複数のページからなる画像情報を、前記画像形成部を用いて最初に奇数ページあるいは偶数ページのみの第１画像情報の印刷を実行させ、その第１画像情報の印刷終了後、片面が印刷されたその用紙を前記画像形成装置の給紙口に再びセットされると、最初に印刷したページと異なる偶数ページあるいは奇数ページの第２画像情報を印刷された用紙の面とは異なる片面に印刷させる手動両面印刷を実行させる第１の選択部を有し、その第１の選択部を選択することにより、前記第１画像情報と前記第２画像情報とが前記一連の連続する画像情報として印刷されること、
を特徴とする請求項１記載の画像形成システム。
【請求項３】
前記選択部は、前記画像形成部を用いて、１つの画像情報を印刷終了後、次の画像情報も同じ色合いで連続して印刷する色合い固定連続印刷を選択する第２の選択部を有し、
前記情報処理装置は更にその第２の選択部が選択されることで、１つの画像情報の印刷終了後に次の画像情報を連続して印刷することを指示する連続印刷指示部と、
その連続印刷指示部の指示に従って、次の画像情報を前記画像形成装置に送信する継続実行部とを有し、
前記継続実行部によって送信される前記次の画像情報と前記１つの画像情報とが前記一連の連続する画像情報として前記画像形成装置によって印刷されること、
を特徴とする請求項１または２記載の画像形成システム。
【請求項４】
前記情報処理装置は更に、前記色合い固定連続印刷が選択された後に、前記次の画像情報を一連の連続する画像情報として印刷しないことを指示する印刷停止指示部と、
前記連続印刷指示部は、前記印刷停止指示部によって前記次の画像情報を連続して印刷しないことが指示されるまで、次の画像情報を連続して印刷することを指示すること、
を特徴とする請求項３記載の画像形成システム。
【請求項５】
前記情報処理装置は、更に一連の連続する画像情報の送信後に、色補正データの生成を許可する許可命令を送信する許可送信部を有し、
前記画像形成装置は、
前記受信部が前記許可送信部から送信される色補正データの生成を許可する許可命令を受信し、且つ前記一連の連続する画像情報の印刷が終了している場合には、色補正データの生成を許可とする許可部を有し、
前記色補正データ生成部は、前記許可部によって色補正データの生成が許可され、且つ前記指示部からの指示に基づき、色補正データを生成すること、
を特徴とする請求項１〜４のいずれかに記載の画像形成システム。
【請求項６】
前記画像形成装置は更に、
前記受信部が色補正データの生成を禁止する禁止命令を受信してからの時間を計測する計測部を有し、
前記許可部は、更に前記計測部による計測時間が所定の時間を経過した際に、色補正データの生成を許可とすること、
を特徴とする請求項５記載の画像形成システム。
【請求項７】
前記画像形成装置は更に、前記指示部によって色補正データの生成の実行が指示され、且つ前記受信部が色補正データの生成を禁止する禁止命令を受信した際には、色補正データの生成を保留とする保留部を有し、
前記許可部が色補正データの生成を許可とした際に、前記保留部が保留とされていれば、前記色補正データ生成部が色補正データを生成すること、
を特徴とする請求項５または６記載の画像形成システム。
【発明の詳細な説明】
【技術分野】
【０００１】
本発明は、一連の連続する画像情報を印刷する間は、色補正データの生成を禁止する画像形成システムに関するものである。
【背景技術】
【０００２】
従来、カラーレーザプリンタ等の画像形成装置において、プリンタの使用環境や経過時間等によって、画像形成特性が変化する。例えば、電子写真方式のレーザプリンタでは、同じ画像情報を印刷したとしても、トナーの消費、感光体ドラムの特性、経年変化等により、出力画像の画質が異なるものとなる。
【０００３】
上述した画像形成特性を補正するために、プリンタは、静電潜像を形成する感光体ドラムや搬送ベルトに濃度パッチの印刷を行い、その印刷結果をセンサで読み取ることで得られる実測濃度データを取得する。この実測濃度データが色補正データであり、得られた色補正データを印刷時の画像情報に補正値として反映するγテーブルが作成され、γテーブルに基づいて画像情報が補正される。これは、一般的にキャリブレーションと呼ばれている。
【０００４】
実際には、その画像形成特性の変動を調べるには、カラーレーザープリンタの静電潜像を形成する感光体ドラムや搬送ベルトに濃度パッチの印刷を行い、その印刷結果をセンサで読み取った上で色補正データを作成するという作業を行っている。上記の作業はイエロー、マゼンダ、シアン、黒色の色毎に様々な濃度に対して行われる為、一連のキャリブレーションにおける色補正データ作成の作業には時間を要し、キャリブレーション処理をしている間は印刷をすることができない。
【０００５】
また、複数ページからなる画像情報を印刷中に、プリンタの使用環境や経過時間等によって色補正データ作成の指示がされた場合を考えると、色補正データ作成の指示前の色補正データに基づいて補正された画像と、色補正データ作成の指示後の色補正データに基づいて補正された画像では、画像形成される画像の色合いが異なるという問題があった。
【０００６】
特許文献１記載の発明は、上述した問題の対策として、コンピュータからプリンタに対し送信する印刷ジョブの中に、キャリブレーション実行の可否を示す制御データを含み、その印刷ジョブを印刷処理中には、その制御データに従いキャリブレーションを行わないようにする印刷システムに関する技術を提供している。よって、１つの印刷ジョブを印刷している間は、キャリブレーション処理を禁止することができる。そして、その印刷ジョブを印刷する際には、印刷中にキャリブレーション処理をすることがなく、キャリブレーション処理による時間の無駄を要することなく、その印刷ジョブを印刷した際の画像においては画像の色合いは変化しない。
【０００７】
また、ユーザは、手動両面印刷の表面の画像情報と裏面の画像情報のように、表面の画像情報と裏面の画像情報の色合いを変化させず、同じ色合いで連続して印刷したいことがある。更に、パソコンのアプリケーションで作成された画像情報が複数あって、それぞれ同等の画像の色合いで連続して印刷したい場合がある。
【特許文献１】特開２０００−１９０５７３号公報
【発明の開示】
【発明が解決しようとする課題】
【０００８】
しかし、特許文献１記載の発明では、上記のような手動両面印刷の表面と裏面の画像情
報を連続して印刷する場合に、表面の画像情報を印刷処理後であって、裏面の画像情報を印刷処理開始前に、色補正データ作成の指示があった場合には、色補正データの作成処理が実行される。結果、表面の画像情報と裏面の画像情報における画像の色合いがそれぞれ異なる結果になるという問題があった。同様に、パソコンのアプリケーションで作成された画像情報が複数あって、１つの画像情報を印刷処理後であって、次の画像情報を印刷処理前に、色補正データ作成の指示があった場合には、特許文献１記載の発明では、色補正データの作成処理が実行される。
【０００９】
本発明は、上述した問題点を解決するためになされたものであり、ユーザが同じ色合いで印刷したい一連の連続する画像情報を印刷する場合を選択することができ、その選択した一連の連続する画像情報を印刷している間は、色補正データの生成を禁止する画像形成システムを提供するものである。
【課題を解決するための手段】
【００１０】
この課題の解決を目的としてなされた画像形成システムは、印刷すべき画像情報を画像形成装置に送信する情報処理装置と、生成される色補正データを用いて画像情報を補正して印刷を実行する画像形成部を有する画像形成装置とからなり、情報処理装置と画像形成装置との少なくともいずれか一方に、その画像情報を補正する際に使用される色補正データの生成を指示する指示部を有し、情報処理装置は、印刷すべき画像情報が一連の連続する画像情報であり、連続して印刷するか否かを選択する選択部と、その選択部によって一連の連続する画像情報であることが選択にされると、送信される画像情報と、色補正データの生成を禁止する禁止命令とを送信する禁止送信部と、を備え、画像形成装置は、指示部からの指示に基づき、色補正データを生成する色補正データ生成部と、連続して印刷すべき画像情報並びに前記禁止送信部から送信される色補正データの生成を禁止する禁止命令を受信する受信部と、指示部によって色補正データの生成が指示されているにもかかわらず、受信部が一連の連続する画像情報と色補正データの生成を禁止する禁止命令を受信した際には、一連の連続する画像情報の印刷が画像形成部によって終了するまで色補正データの生成を禁止する禁止制御部と、を備えていることを特徴としている。
【００１１】
このように構成された本発明の画像形成システムは、ユーザが一連の連続する画像情報を印刷する場合を選択する。すると、その選択した一連の連続する画像情報を印刷している間は、色補正データの生成が禁止されるため、一連の連続する画像情報での画像の色合いがそれぞれ異ならない。
【００１２】
なお、一連の連続する画像情報とは、複数の画像情報があって、それらの画像情報が同じ色合いで連続して印刷する画像情報であることを意味する。
【００１３】
なお、本発明は以下の構成に限定されるものではないが、本発明の画像形成システムの選択部は、複数のページからなる画像情報を、画像形成部を用いて最初に奇数ページあるいは偶数ページのみの第１画像情報の印刷を実行させ、その第１画像情報の印刷終了後、片面が印刷されたその用紙を前記画像形成装置の給紙口に再びセットされると、最初に印刷したページと異なる偶数ページあるいは奇数ページの第２画像情報を印刷された用紙の面とは異なる片面に印刷させる手動両面印刷を実行させる第１の選択部を有し、その第１の選択部を選択することにより、第１画像情報と第２画像情報とが一連の連続する画像情報として印刷されること、を特徴としている。
【００１４】
すなわち、本発明の画像形成システムは、最初に印刷される第１画像情報と次に印刷される第２画像情報とを一連の連続する画像情報とする手動両面印刷を、第１の選択部によって選択することができる。その手動両面印刷を選択した場合には、表面（裏面）に相当する第１画像情報と、裏面（表面）に相当する第２画像情報の印刷が完了するまでは、色
補正データの生成が禁止されるため、表面（裏面）と裏面（表面）の画像の色合いが変化することを防ぐことができる。
【００１５】
なお、手動両面印刷とは、以下のようなものである。複数のページからなる画像情報を、画像形成部を用いて最初に奇数ページ（偶数ページ）のみの第１画像情報の印刷を実行し、その印刷終了後、ユーザが片面印刷されたその用紙を裏返す。そして、ユーザがその用紙を画像形成装置の給紙口に再びセットする。次に最初に印刷したページと異なる偶数ページ（奇数ページ）の第２画像情報を印刷された用紙の面とは異なる片面に印刷させることを意味する。
【００１６】
また、本発明の画像形成システムの選択部は、画像形成部を用いて、１つの画像情報を印刷終了後、次の画像情報も同じ色合いで連続して印刷する色合い固定連続印刷を選択する第２の選択部を有し、本発明の情報処理装置は更にその第２の選択部が選択されることで、１つの画像情報の印刷終了後に次の画像情報を連続して印刷することを指示する連続印刷指示部と、その連続印刷指示部の指示に従って、次の画像情報を画像形成装置に送信する継続実行部とを有し、継続実行部によって送信される次の画像情報と１つの画像情報とが一連の連続する画像情報として画像形成装置によって印刷してもよい。
【００１７】
すなわち、本発明の画像形成システムは、複数の画像情報があって、それらの画像情報を同じ色合いで連続して印刷すべき画像情報とする色合い固定連続印刷を、第２の選択部によって選択することができる。その色合い固定連続印刷を選択した場合には、連続印刷指示部によって、次の画像情報を連続して印刷することができ、その間は、色補正データの生成は行われず、複数の画像情報を印刷した際の画像の色合いがそれぞれ変化することを防ぐことができる。
【００１８】
また、本発明の情報処理装置は更に、色合い固定連続印刷が選択された後に、次の画像情報を一連の連続する画像情報として印刷しないことを指示する印刷停止指示部と、
連続印刷指示部は、印刷停止指示部によって前記次の画像情報を連続して印刷しないことが指示されるまで、次の画像情報を連続して印刷することを指示してもよい。
【００１９】
すなわち、本発明の画像形成システムは、ユーザが印刷停止指示部によって次の画像情報を連続して印刷しないことが指示するまでは、次の画像情報を連続して印刷することが指示される。それに伴って継続実行部によって、その次の画像情報が画像形成装置に送信され続ける。そして、その画像情報が印刷されている間は、印刷される画像情報の画像の色合いが変化することを防ぐことができる。つまり、印刷停止指示部によって印刷しないことを指示されるまでは、ユーザは複数の画像情報を印刷する際、一連の連続する画像情報として画像の色合いを変化させることなく印刷することができる。
【００２０】
また、本発明の情報処理装置は、更に一連の連続する画像情報の送信後に、色補正データの生成を許可する許可命令を送信する許可送信部を有し、本発明の画像形成装置は、受信部が許可送信部から送信される色補正データの生成を許可する許可命令を受信し、且つ一連の連続する画像情報の印刷が終了している場合には、色補正データの生成を許可とする許可部を有し、色補正データ生成部は、更に許可部によって色補正データの生成が許可され、且つ指示部からの指示に基づき、色補正データを生成してもよい。
【００２１】
すなわち、本発明の画像形成システムでは、情報処理装置が色補正データの生成を許可する許可命令を送信し、画像形成装置が許可命令を受信していて、一連の連続する画像情報の印刷処理が終了していれば、色補正データの生成を許可とする状態にする。そして、指示部による色補正データの生成の指示があれば、色補正データの生成を実行することができる。
【００２２】
また、本発明の画像形成システムの画像形成装置は更に、受信部が色補正データの生成を禁止する禁止命令を受信してからの時間を計測する計測部を有し、許可部は、更に計測部による計測時間が所定の時間を経過した際に、色補正データの生成を許可してもよい。
【００２３】
すなわち、本発明の画像形成装置は、情報処理装置から色補正データの生成の禁止命令を受信すると、禁止制御部による制御によって色補正データは生成されないが、所定の時間経過していれば、色補正データの生成を許可とする状態にする。そして、指示部による色補正データの生成の指示があれば、色補正データの生成を実行することができる。
【００２４】
なお、所定の時間とは、一連の画像情報を印刷終了後、ユーザが情報処理装置を用いて次の画像情報を印刷することを指示するまでの時間を考慮した時間である。手動両面印刷において、第１画像情報の印刷終了後、ユーザが用紙を給紙口にセットし、第２画像情報を印刷開始するまでの時間を考慮した時間である。また、色合い固定連続印刷においては、１つの画像情報を印刷終了後に、次の画像情報を連続して印刷することを指示するまでの時間を考慮した時間である。
【００２５】
また、本発明の画像形成システムの画像形成装置は更に、指示部によって色補正データの生成の実行が指示され、且つ受信部が色補正データの生成を禁止する禁止命令を受信した際には、色補正データの生成を保留とする保留部を有し、色補正データ生成部は、更に前記許可部が色補正データの生成を許可とした際に、保留部によって保留とされていれば、色補正データを生成してもよい。
【００２６】
すなわち、本発明の画像形成システムでは、色補正データの生成の指示命令が指示されていたが、一連の連続する画像情報を印刷するために、色補正データの生成が禁止されて色補正データの生成が保留となっている。そして、一連の連続する画像情報の印刷終了後に、許可部によって許可とされた段階で、保留となっていた色補正データの生成を実行することで、色補正データの生成が適切に行うことができる。
【発明の効果】
【００２７】
本発明によれば、同じ色合いで印刷したい一連の連続する画像情報を印刷する場合を選択することができ、その選択した一連の連続する画像情報を印刷している間は、色補正データの生成を禁止することができる画像形成システムが実現している。
【発明を実施するための最良の形態】
【００２８】
以下、本発明にかかる情報処理装置と画像形成装置からなる画像形成システムについて添付図面を参照しつつ説明する。
【００２９】
図１は、本発明に係るネットワークプリンタ１（画像形成装置の１例）と、ネットワークプリンタ１に画像情報の印刷を指示する各クライアント端末装置２Ａ〜２Ｃ（情報処理装置の１例）とを含む画像形成システム１０の一例を示す構成図である。図１に示されるように、この画像形成システム１０は、３台のクライアント端末装置２Ａ〜２Ｃと、ネットワークプリンタ１とがＬＡＮ（Local Area Network）３を介して通信可能に接続されてなるものである。以下の説明において、区別の必要のない場合は、クライアント端末装置２と呼ぶ。
【００３０】
なお、ネットワークプリンタ１と接続されるクライアント端末装置２は、３台に限定されるものではない。クライアント端末装置２は、１台でもよく、また、３台以外の複数台であってもよい。また、ＬＡＮ３に複数台のネットワークプリンタ１が接続される形態であってもよい。
【００３１】
以下、ネットワークプリンタ１の構成について詳述する。図２は、ネットワークプリンタ１の構成を示すブロック図である。ネットワークプリンタ１は、クライアント端末装置２から画像情報を受信して印刷する受信印刷処理を実行可能なものである。ここで、受信印刷処理は、画像情報を受信する受信処理と、受信した画像情報を印刷する印刷処理とを含む一連の処理である。
【００３２】
また、ネットワークプリンタ１は、画像情報の１例として、クライアント端末装置２からページ単位でページ記述言語（ＰＤＬ：Page Description Language）で記述された画
像データを受信して印刷処理を実行するものである。
【００３３】
ネットワークプリンタ１の制御部５は、ネットワークプリンタ１の全体動作を制御するものである。図２に示されるように、制御部５は、ＣＰＵ（Central Processing Unit）
１１、ＲＯＭ（Read Only Memory）１２、ＲＡＭ（Random Access Memory）１３、及び、ＮＶＲＡＭ（Non Volatile RAM）１４を主とするマイクロコンピュータとして構成されており、バス６を介して計測部１５、プリンタ部１６、操作部１７、表示部１８、ＬＡＮ 
Ｉ／Ｆ（Local Area Network Interface）１９、及び、プリンタポート Ｉ／Ｆ（Printer
Port Interface）２０と通信可能に接続されている。なお、ネットワークプリンタ１の
構成はこれに限定されるものではなく、本発明の要旨を変更しない範囲内で適宜変更可能である。
【００３４】
ＣＰＵ１１は、ＲＯＭ１２などに格納されているプログラムに従って、このネットワークプリンタ１を構成する各部を制御する。ＲＡＭ１３は、ＣＰＵ１１の主メモリ、ワークエリア等として機能し、各種設定情報を格納する。クライアント端末装置２から送信された画像データは、このＲＡＭ１３に一時的に格納される。ＲＡＭ１３に格納された画像データは、プリンタ部１６において印刷処理される。
【００３５】
ＮＶＲＡＭ１４は、ネットワークプリンタ１に関する各種設定データであって電源オフ後も保持すべきデータを記憶される。ネットワークプリンタ１の画像形成特性を補正する際に使用される色補正データは、ＮＶＲＡＭ１４に記憶される。
【００３６】
これらＣＰＵ１１、ＲＯＭ１２、ＲＡＭ１３、ＮＶＲＡＭ１４からなる制御部５は、本発明の画像形成装置における指示部と、色補正データ生成部と、受信部と、禁止制御部と、許可部と、保留部から構成される。そして、制御部５は、ＲＯＭ１２などに格納されているプログラムに従ってＣＰＵ１１がプリンタ部１６等の各部を制御することによって、本発明の画像形成装置における指示部等の機能が実現される。
【００３７】
計測部１５は、ネットワークプリンタ１の内部処理時間を計測するものである。そして、ＣＰＵ１１がネットワークプリンタ１を構成する各部を制御した際の時間が、計測部１５によって求められる。そして、計測された時間は必要に応じて、ＲＡＭ１３やＮＶＲＡＭ１４に記憶される。
【００３８】
プリンタ部１６は、クライアント端末装置２から受信した画像データの印刷処理を実行するものである。プリンタ部１６は、１または複数のページからなる画像データのページ毎に印刷処理（以下、単に「印刷」ともいう。）を実行する。プリンタ部１６は、図示しないが、本実施形態においては、感光体ドラムの表面に静電潜像を形成するための光源として、半導体レーザ（ＬＤ：Laser Diode）を用いる所謂レーザプリンタである。プリン
タ部１６は、本実施形態においては、シアン（Ｃ）・マゼンタ（Ｍ）・イエロー（Ｙ）・ブラック（Ｋ）の４色のトナーを使用して画像データを記録用紙などの被記録媒体に記録するものである。なお、プリンタ部１６は、キャリブレーション処理が必要であるプリン
タであれば特に限定されるものではなく、例えばインクジェットプリンタなどであってもよい。
【００３９】
操作部１７は、ネットワークプリンタ１に設けられた各種操作キー等から構成されている。ユーザによる各種の操作入力は、この操作部１７を介して行われる。また、表示部１８は、ネットワークプリンタ１に設けられた液晶表示パネルから構成されており、各種の設定状態やネットワークプリンタ１の動作状態などを表示するものである。
【００４０】
ＬＡＮ Ｉ／Ｆ１９は、ＬＡＮ３とネットワークプリンタ１とを通信可能に接続するイ
ンターフェースである。プリンタポート Ｉ／Ｆ２０は、ネットワークプリンタ１にクラ
イアント端末装置２を接続するためのインターフェースである。本実施形態においては、ＬＡＮ Ｉ／Ｆ１９を介してネットワークプリンタ１とクライアント端末装置２とが通信
可能に接続されるようになっているが、ネットワークプリンタ１とクライアント端末装置２とをプリンタポート Ｉ／Ｆ２０を介して接続することも当然可能である。
【００４１】
ネットワークプリンタ１のプリンタ部１６は、詳述しないが、帯電器、感光体ドラム、露光器、現像器、転写器、定着器等(不図示)を具備している。このプリンタ部１６の画像形成特性は、ネットワークプリンタ１の使用環境や経過時間等により変化する。すなわち、プリンタ部１６では、トナーの消費、感光体ドラムの感光特性の経年変化等により画像の色合い（記録用紙などに記録される画像の濃度）が変化する。この画像形成特性の変化を補正するために、制御部５は、プリンタ部１６を制御して色補正データを取得する。色補正データは、感光体ドラム（不図示）にテストパターンを転写してそのテストパターンをセンサで読み取ることにより取得される。すなわち、色補正データは、センサによって読み取られたテストパターンの画像の実測濃度を示すデータである。
【００４２】
色補正データ生成部として機能する制御部５は、プリンタ部１６を用いてＣ，Ｍ，Ｙ，Ｋの４つの色成分の色補正データを取得する。なお、色補正データを取得する方法は周知であるため、ここではその方法の説明は省略される。制御部５は、ＮＶＲＡＭ１４に記憶されている色補正データを、取得した色補正データに書き換える。これにより、ＮＶＲＡＭ１４に記憶されている古い色補正データが最新の色補正データに更新される。
【００４３】
以下、クライアント端末装置２の構成について詳述する。図３は、クライアント端末装置２の制御部７の構成を示すブロック図である。
【００４４】
クライアント端末装置２は、例えばパーソナルコンピュータである。クライアント端末装置２は、受信印刷処理を実行可能なネットワークプリンタ１と通信可能に接続されている。クライアント端末装置２は、画像データをネットワークプリンタ１へ送信する。
【００４５】
制御部７は、このクライアント端末装置２の全体動作を制御するものである。制御部７は、ＣＰＵ２１、ＲＯＭ２２、ＲＡＭ２３を主とするマイクロコンピュータとして構成されており、バス８を介してＨＤＤ２４、操作部２５、表示部２６、ＬＡＮ Ｉ／Ｆ２７、
及び、プリンタポート Ｉ／Ｆ２８と通信可能に接続されている。なお、クライアント端
末装置２の構成はこれに限定されるものではなく、本発明の要旨を変更しない範囲内で適宜変更可能である。
【００４６】
ＣＰＵ２１は、クライアント端末装置２の各部の動作を制御するものであり、オペレーティングシステム（ＯＳ）や、各種のハードウェアを制御するためのドライバ（例えば、プリンタドライバ）や、各種のアプリケーションソフトウェア等のプログラムに基づいて動作する。
【００４７】
ＲＯＭ２２には、クライアント端末装置２の制御や演算を実行するためのプログラム等が格納されている。ＲＡＭ２３は、ＣＰＵ２１が上記プログラム等を実行する際に用いる各種データを一時的に記憶するＣＰＵ２１の主メモリ、ワークエリア等として使用される。
【００４８】
これらＣＰＵ２１、ＲＯＭ２２、及びＲＡＭ２３からなる制御部７は、本発明の情報処理装置に係る指示部と、禁止送信部と、継続実行部と、許可送信部から構成される。
【００４９】
ＨＤＤ２４は、大容量のメモリ領域を有する記憶媒体を内蔵する記憶装置である。ＨＤＤ２４は、クライアント端末装置２において利用されるプログラムやデータファイルを記憶している。制御部７は、ＨＤＤ２４に記憶されているデータファイルに基づいて画像データを生成する。そして、生成された画像データは、印刷すべくネットワークプリンタ１へ送信される。
【００５０】
ＨＤＤ２４には、通信可能に接続されたネットワークプリンタ１へ印刷すべき画像データを送信するためのプリンタドライバが記憶されている。そして、制御部７は、ＨＤＤ２４などに格納されているプリンタドライバに従って本発明の情報処理装置に係る禁止送信部と、継続実行部と、許可送信部として機能する。
【００５１】
操作部２５は、キーボードや各種ポインティングデバイスなどを用いているものであり、クライアント端末装置２に対する動作指示や設定等の操作入力を受け付ける。表示部２６は、ＣＲＴや液晶ディスプレイなどを用いているものであり、各種画面情報を提供する。具体的には、クライアント端末装置２の動作状態や、ネットワークプリンタ１に指示する印刷処理の印刷条件を設定するためのユーザインターフェースを表示する。
【００５２】
これら操作部２５と表示部２６は、本発明の画像形成装置に係る選択部と、第１の選択部と、第２の選択部と、連続印刷指示部と、印刷停止指示部から構成される。操作部２５と表示部２６は、ＨＤＤ２４に格納されているプリンタドライバに従って、表示部２６にユーザインターフェースを表示し、操作部２５であるキーボード等を用いて選択することで、本発明の画像形成装置に係る選択部と、第１の選択部と、第２の選択部と、連続印刷指示部と、印刷停止指示部として機能する。
【００５３】
ＬＡＮ Ｉ／Ｆ２７は、ＬＡＮ３とクライアント端末装置２とを通信可能に接続するイ
ンターフェースである。プリンタポート Ｉ／Ｆ２８は、クライアント端末装置２にネッ
トワークプリンタ１を接続するためのインターフェースである。本実施形態においては、クライアント端末装置２とネットワークプリンタ１とがＬＡＮ Ｉ／Ｆ２７を介して通信
可能に接続されるようになっているが、プリンタポート Ｉ／Ｆ２８を介して通信可能に
接続される形態でもよい。
【００５４】
図４に、ネットワークプリンタ１の外観を示す。表示部１８は、液晶ディスプレイ等の表示手段を備える。また、操作部１７は、各種のボタンやタッチパネル等の入力手段を備える。ユーザは、色補正データ生成の指示を操作部１９の各種ボタン等を操作することによって指示できる。ユーザは、給紙口４に用紙をセットし、クライアント端末装置２もしくはネットワークプリンタ１から印刷開始を指示する。するとネットワークプリンタ１は印刷開始を行う。
【００５５】
[色補正データの生成の指示について]
図５のフローチャートを用いて、本発明の画像形成システムに関する色補正データの生成の指示について説明する。まず、各クライアント端末装置２Ａ〜２Ｃの端末から色補正データの生成の指示があったかどうかを判断する（Ｓ１０１：指示部の１例）。
【００５６】
ユーザは、各クライアント端末装置２Ａ〜２Ｃのいずれかの端末から、キーボード等の操作部２５を用いて色補正データの生成を指示する。そして、各クライアント端末装置２Ａ〜２Ｃの端末から色補正データの生成の指示があった場合には（Ｓ１０１：ＹＥＳ）、クライアント端末装置２における指示部として機能する制御部７によってＬＡＮ I／Ｆ２７を介し、ネットワークプリンタ１の色補正データ生成部として機能する制御部５が受信して色補正データの生成の指示がなされる（Ｓ１０２）。
【００５７】
上記の色補正データの生成の指示は、例えば、ユーザＡがクライアント端末装置２Ａを用いてネットワークプリンタ１で画像データを印刷している場合に、ユーザＢがクライアント端末装置２Ｂを用いて色補正データの生成の指示を行う場合にされるものである。
【００５８】
次に、Ｓ１０３において、ネットワークプリンタ１が終了したかどうか（電源を切断したり、再起動を行った場合）を判断する。ネットワークプリンタ１が終了していなければ（Ｓ１０３：ＮＯ）に進み、再度Ｓ１０１に戻る。ネットワークプリンタ１が終了すれば、終了する（Ｓ１０３：ＹＥＳ）。
【００５９】
次に、ネットワークプリンタ１の操作部１７から色補正データの指示があった場合（Ｓ１０４：ＹＥＳ、指示部の１例）は、色補正データの生成の指示がなされる（Ｓ１０２）。Ｓ１０２は、操作部１７からの指示を、ネットワークプリンタ１の色補正データ生成部として機能する制御部５に色補正データの生成の指示がなされる。
【００６０】
次に、Ｓ１０４がＮＯであると、Ｓ１０５に進み、最先の色補正データの作成を実行してから一定時間経過後（Ｓ１０５：ＹＥＳ、指示部の１例）、色補正データの生成の指示がなされる（Ｓ１０２）。この場合は、指示部として機能する制御部５が、最先の色補正データの作成を実行してから例えば、２４時間経過後、色補正データの生成を指示する。
【００６１】
次に、Ｓ１０５がＮＯであると、Ｓ１０６に進み、最先の色補正データの作成を実行してから一定枚数の印刷処理完了後（Ｓ１０６：ＹＥＳ、指示部の１例）、色補正データの生成の指示がなされる（Ｓ１０２）。この場合は、指示部として機能する制御部５が、最先の色補正データの作成を実行してから例えば１００枚の画像データの印刷終了後、色補正データの生成を指示する。Ｓ１０６がＮＯであれば、再度Ｓ１０１に戻る。
【００６２】
[ネットワークプリンタ１の制御処理に関するフローチャート]
次に、図６のフローチャートを用いて、画像形成装置の１例としてのネットワークプリンタ１の色補正データ生成処理及び印刷処理に係る制御処理について、説明する。
【００６３】
まず、ネットワークプリンタ１の電源投入後や再起動などの初起動時において、色補正データ生成処理を制御する制御フラグとして、色補正データ生成許可フラグ（以下、許可フラグとする）を「許可」、色補正データ生成保留フラグ（以下、保留フラグとする）を「偽」というように設定する（Ｓ２０１）。なお、この制御フラグの情報は、ＲＡＭ１３に記憶される。
【００６４】
次に、Ｓ２０２において、後述するクライアント端末装置２側の処理によって、クライアント端末装置２から送信される色補正データの生成を禁止する禁止命令を、ネットワークプリンタ１の受信部として機能する制御部５が受信したかどうかを判断する。
【００６５】
その色補正データの生成を禁止する禁止命令をネットワークプリンタ１の受信部が受信した場合には（Ｓ２０２：ＹＥＳ）、許可フラグを「禁止」に設定する（Ｓ２０３）。そして、その許可フラグを「禁止」に設定した時点での時間を、計測部１５で測定し、ＮＶ
ＲＡＭ１４に、その時間を記憶する。
【００６６】
Ｓ２０３で許可フラグを「禁止」にした後、ネットワークプリンタ１の電源がＯＦＦされることによって終了していなければ（Ｓ２０４：ＮＯ）、引き続きＳ２０２の処理に戻る。
【００６７】
次に、その色補正データの生成を禁止する禁止命令をネットワークプリンタ１における受信部として機能する制御部５が受信しない場合には（Ｓ２０２：ＮＯ）、画像データを受信したかどうかを判断する（Ｓ２０５）。
【００６８】
画像データを受信している場合には（Ｓ２０５：ＹＥＳ）、印刷処理（Ｓ２０６）を実行する。そして、画像データの印刷処理終了後、印刷処理が完了したことをネットワークプリンタ１に送信する（Ｓ２１６）。
【００６９】
次に、後述するクライアント端末装置２側の処理によって、クライアント端末装置２から色補正データの生成を禁止する禁止命令及び印刷すべき画像データを、ネットワークプリンタ１の受信部として機能する制御部５が受信していない場合には（Ｓ２０２；ＮＯ、Ｓ２０５：ＮＯ）、Ｓ２０７に進む。
【００７０】
Ｓ２０７において、クライアント端末装置２から送信された色補正データの生成を許可する命令を、ネットワークプリンタ１の受信部として機能する制御部５が受信したかどうかを判断する。
【００７１】
色補正データの生成を許可する許可命令をネットワークプリンタ１の受信部が受信していない場合には（Ｓ２０７：ＮＯ）、許可フラグが「禁止」であって、かつ、ネットワークプリンタ１の受信部として機能する制御部５が色補正データの生成を禁止する禁止命令を受信してから、一定時間として定められた３０分間を経過したかどうかを判断する（Ｓ２０８）。
【００７２】
ＮＶＲＡＭ１４に記憶されている許可フラグを「禁止」にした時間と、現時点での時間を計測部１５から、ネットワークプリンタ１の受信部として機能する制御部５が色補正データの生成を禁止する禁止命令を受信してからの時間を求める。そして、許可フラグが「禁止」であって、かつ、その時間が所定時間として定められている３０分を超えている場合には（Ｓ２０８：ＹＥＳ）、許可フラグを「許可」に設定する（Ｓ２１４、許可部の１例）。
【００７３】
次に、所定時間として３０分間を超えていない場合には（Ｓ２０８：ＮＯ）、ネットワークプリンタ１の指示部として機能する制御部５もしくはクライアント端末装置２の指示部として機能する制御部７が、色補正データの生成の実行命令を指示したかどうかを判断する（Ｓ２０９）。
【００７４】
指示部によって色補正データの生成の実行命令が指示されていれば、禁止制御部として機能する制御部５が、ＲＡＭ１３に記憶されている許可フラグが「禁止」もしくは「許可」のどちらであるかを判断する（Ｓ２１０）。許可フラグが「禁止」であるならば（Ｓ２１０：ＮＯ）、保留フラグが「真」に設定されＲＡＭ１３に記憶され（Ｓ２１１、保留部の１例）、色補正データの生成をすることなく、Ｓ２０４に進む。Ｓ２０４において、ネットワークプリンタ１が終了していなければ（Ｓ２０４：ＮＯ）、Ｓ２０２に戻る。
【００７５】
許可フラグが「許可」であるならば（Ｓ２１０：ＹＥＳ）、ネットワークプリンタ１の色補正データ生成部として機能する制御部５が色補正データの生成（Ｓ２１２）を行い、
Ｓ２１３に進む。そして、保留部として機能する制御部５は、保留フラグを「偽」に設定する（Ｓ２１３）。Ｓ２０４において、ネットワークプリンタ１が終了していなければ（Ｓ２０４：ＮＯ）、Ｓ２０２に戻る。
【００７６】
次に、許可フラグを「許可」に設定したＳ２１４に戻る。許可フラグを「許可」に設定されている状態で、保留フラグが「真」もしくは「偽」であるかが判断される（Ｓ２１５）。保留フラグが「偽」であるならば（Ｓ２１５：ＮＯ）、Ｓ２０４に進む。「真」であるならば（Ｓ２１５：ＹＥＳ）、色補正データの生成を行う（Ｓ２１２）。
【００７７】
そもそも、保留フラグが「真」である場合というのは、上述したように、色補正データの生成の実行命令が指示されているが（Ｓ２０９：ＹＥＳ）、許可フラグが「禁止」であるため（Ｓ２１０：ＮＯ）、色補正データの生成をしなかった場合である。故に、色補正データの生成が許可された時点で、既に色補正データの実行命令がなされている場合には、色補正データの生成が実行される。
【００７８】
そして、色補正データ生成部として機能する制御部５が、色補正データの生成処理（Ｓ２１２）を実行後、保留部として機能する制御部５が、保留フラグを「真」から「偽」に設定する（Ｓ２１３）。そして、Ｓ２０４に進み、ネットワークプリンタ１が終了していなければ（Ｓ２０４：ＮＯ）、Ｓ２０２に戻る。
【００７９】
ネットワークプリンタ１は、ネットワークプリンタ１の電源投入後や再起動などの初起動時から電源切断などの終了時まで、Ｓ２０２、Ｓ２０５、Ｓ２０７、Ｓ２０８、Ｓ２０９の判断を繰り返し行い、その都度、上述した図６のフローチャートの処理を行う。
【００８０】
[ネットワークプリンタ１の印刷処理]
次に、図６のＳ２０６の処理であるネットワークプリンタ１の画像データの印刷処理について、図７のネットワークプリンタ１における印刷実行処理のフローチャートを参照しつつ説明する。まず、不揮発性メモリであるＮＶＲＡＭ１４に記憶されている色補正データを取得する（Ｓ３０１）。
【００８１】
そして、色補正データを印刷時の画像データに補正値として反映する処理であるγ補正処理を行う（Ｓ３０２）。γ補正処理は、上記のように作成された色補正データを印刷時の画像データに補正値として反映する処理である。
【００８２】
γ補正処理後は、ディザリング処理が行われた後、補正された画像データがプリンタ部１６によって、用紙への印刷処理がなされる（Ｓ３０３）。なお、印刷時には、γ補正処理にて反映された補正値に基づいて、図示しないプリンタ部１６のレーザビームのパルス幅の調整、各現像ローラや、感光体ドラムに印加する電圧の調整等を行って、濃度が補正されることとなる。
【００８３】
なお、図７の印刷処理は、本発明の実施形態に限定されることはなく、γ補正処理をネットワークプリンタ１で行う必要はない。つまり、ネットワークプリンタ１から色補正データをクライアント端末装置２に送信する。そして、クライアント端末装置２で画像データのγ補正処理を行い、そのγ補正処理された画像データをネットワークプリンタ１に送信し、印刷処理を実行してもよい。
【００８４】
[クライアント端末装置の印刷処理の初期設定]
次に、情報処理装置の１例としてのクライアント端末装置２の処理について、説明する。図８は、クライアント端末装置２側の印刷処理に関するフローチャートを示している。まず、選択部は、一連の連続する画像情報を、連続して印刷するか否かを選択する図９の
ような印刷設定画面１０１を表示部２６に表示する（Ｓ４０１）。
【００８５】
印刷設定画面１０１には、手動両面印刷の選択ボタン１０２（第１選択部の１例）、色合い固定連続印刷の選択ボタン１０３（第２選択部の１例）がある。そして、ユーザは、表示部１８に表示されている印刷設定画面１０１の選択ボタンをキーボードやマウスなどの操作部２５を用いて選択する。そして、ユーザが決定ボタン１０４を押す。すると表示部２６、操作部２５を用いて選択された結果（手動両面印刷もしくは色合い固定連続印刷）が、初期設定として設定されてＲＡＭ２３に記憶される。
【００８６】
また、ユーザが手動両面印刷の選択ボタン１０２、色合い固定連続印刷の選択ボタン１０３のどちらとも選択せずに、決定ボタン１０４を押すと、通常印刷処理として制御部７に初期設定として設定される。
【００８７】
次に、Ｓ４０２において、初期設定が手動両面印刷であれば（Ｓ４０２：ＹＥＳ）、手動両面印刷処理（Ｓ４０３）を実行する。また、手動両面印刷が初期設定で設定されていなければ（Ｓ４０２：ＮＯ）、Ｓ４０４において、初期設定で色合い固定連続印刷が選択されているかどうかを判断する。色合い固定連続印刷が初期設定で選択されていれば（Ｓ４０４：ＹＥＳ）、色合い固定連続印刷処理（Ｓ４０５）を実行する。
【００８８】
また、Ｓ４０４において、色合い固定連続印刷が初期設定で選択されていなければ、通常の印刷処理を実行する（Ｓ４０６）。そして、初期設定に基づいて、各印刷処理（Ｓ４０３、Ｓ４０５、Ｓ４０６）のいずれかが終了すると、クライアント端末装置２側の印刷処理が終了する。
【００８９】
１．第１実施形態
[クライアント端末装置の手動両面印刷処理]
（クライアント端末装置２での処理）
次に、図１０のフローチャートを用いて、クライアント端末装置２側の手動両面印刷処理（図９：Ｓ４０３）について説明する。なお、説明の際に、既に説明した図６のネットワークプリンタ１の制御と連動する形で、図１０の手動両面印刷処理を説明する。
【００９０】
まず、クライアント端末装置２のＨＤＤ２４に記憶されている画像や文書等を作成するプログラムによって１つまたは複数のページで構成されている描画データが作成される。そして、その描画データは、データファイルとしてＨＤＤ２４に記憶される。そして、クライアント端末装置２のＨＤＤ２４に記憶されているプリンタドライバに基づいて制御される制御部７が、描画データを受信する（Ｓ５０１）。
【００９１】
次に、禁止送信部として機能する制御部７が、ＬＡＮ Ｉ／Ｆ２７、ＬＡＮ３を介して
通信可能なネットワークプリンタ１に対して色補正データの生成を禁止する禁止命令を送信する（Ｓ５０２）。
【００９２】
（クライアント端末装置２での処理に伴うネットワークプリンタ１での処理）
一方、ネットワークプリンタにおいて、その色補正データの生成を禁止する禁止命令をネットワークプリンタ１の受信部として機能する制御部５が受信した場合には（Ｓ２０２：ＹＥＳ）、Ｓ２０３に進み、許可フラグを「禁止」に設定する。なお、色補正データの生成（Ｓ２１２）は、許可部（Ｓ２１４）において許可フラグが「許可」されているか、もしくは禁止制御部（Ｓ２１０）において許可フラグが「許可」でないと色補正データの生成は行われない。つまり、許可フラグが「許可」でない限り、ネットワークプリンタ１での色補正データの生成が禁止される。
【００９３】
（クライアント端末装置２での処理）
再びクライアント端末装置２での処理に戻る。描画データは、複数のページで構成されている。そして、全ページの処理が終了しているか否かを判断して、全ページの処理が終了（Ｓ５０３：ＹＥＳ）ならばＳ５０８の処理に進む。全ページの処理が終了していないときは（Ｓ５０３：ＮＯ）に進み、１ページごとに描画データをページ記述言語（ＰＤＬデータ）により記述されたデータフォーマットである画像データに変換する（Ｓ５０４）。
【００９４】
次に、Ｓ５０５において、１ページごとに描画データを変換して作成した画像データが奇数ページであるかどうかを判断する（Ｓ５０５）。変換したページが奇数である場合には（Ｓ５０５：ＹＥＳ）、奇数ページの画像データを表面画像データとしてネットワークプリンタ１に送信する。また、変換したページが奇数でない場合には（Ｓ５０５：ＮＯ）、偶数ページの画像データを裏面画像データとしてＲＡＭ２３に一時的に保存する（Ｓ５０７）。
【００９５】
（クライアント端末装置２での処理に伴うネットワークプリンタ１での処理）
一方、ネットワークプリンタ１において、ネットワークプリンタ１の受信部として機能する制御部５が、その表面画像データを受信する（Ｓ２０５：ＹＥＳ）。Ｓ２０６に移行して、表面画像データの印刷処理が実行される。そして、表面画像データの印刷処理が終了すれば、制御部５は、クライアント端末装置２の制御部７に対して印刷処理が終了したことを送信する（Ｓ２１６）。
【００９６】
（クライアント端末装置２での処理）
再びクライアント端末装置２での処理に戻る。次に、全ページの処理が終了（Ｓ５０３：ＹＥＳ）ならばＳ５０８に進み、ネットワークプリンタ１での表面印刷データの印刷処理が全ページ終了したかどうかについて判断する。全ページの表面印刷データの印刷処理が終了していない場合は、Ｓ５０８においてＮＯに進む。
【００９７】
そして、表面印刷データの印刷処理が全ページ終了した場合（Ｓ５０８：ＹＥＳ）、排紙された用紙を裏面にセットするようにユーザに通知するユーザインターフェース１０５（図１１）を表示部２６に表示する（Ｓ５０９）。
【００９８】
（クライアント端末装置２での処理に伴うネットワークプリンタ１での処理）
一方、ネットワークプリンタにおいて、ネットワークプリンタ１の指示部もしくは印刷処理を行っているクライアント端末装置２Ａとは別のクライアント端末装置２Ｂから色補正データの生成の実行が指示された場合を考える。その際、Ｓ２０２、Ｓ２０５、Ｓ２０７、Ｓ２０８を経て、Ｓ２０９に進む。Ｓ２０９において、色補正データ生成の実行命令が指示されている（Ｓ２０９：ＹＥＳ）が、許可フラグが「許可」でないため、禁止制御部として機能する制御部５がネットワークプリンタ１での色補正データの生成を禁止する（Ｓ２１０：ＮＯ）。つまり、本実施形態では、表面画像データの印刷終了後の時点で、色補正データの生成の実行が指示されたとしても、色補正データの生成は禁止される。
【００９９】
（クライアント端末装置２での処理）
再びクライアント端末装置２での処理に戻る。ユーザは、指示どおりに排紙された用紙を裏面にして給紙口４にセットする。その後、キーボードやマウスなどの操作部２５を用いて、ユーザは、表示部２６に表示されたユーザインターフェース１０５の印刷ボタン１０６を押す。印刷ボタン１０６が押されると（Ｓ５１０：ＹＥＳ）、制御部７は、ＲＡＭ２３に保存してある裏面画像データを、ネットワークプリンタ１に送信する（Ｓ５１１）。
【０１００】
（クライアント端末装置２での処理に伴うネットワークプリンタ１での処理）
一方、ネットワークプリンタ１において、ネットワークプリンタ１の受信部として機能する制御部５が、その裏面画像データを受信する（Ｓ２０５：ＹＥＳ）。Ｓ２０６に移行して、裏面画像データの印刷処理が実行される。そして、裏面画像データの印刷処理が終了すれば、制御部５は、クライアント端末装置２の制御部７に対して印刷処理が終了したことを送信する（Ｓ２１６）。
【０１０１】
（クライアント端末装置２での処理）
再びクライアント端末装置２での処理に戻る。次に、Ｓ５１２において、ネットワークプリンタ１での全ページの裏面画像データの印刷処理が終了したかどうかについて判断する。全ページの裏面画像データの印刷処理が終了していない場合は、Ｓ５１２においてＮＯに進む。
【０１０２】
そして、裏面印刷データの印刷処理が全ページ終了した場合（Ｓ５１２：ＹＥＳ）、Ｓ５１３に進む。Ｓ５１３において、許可送信部として機能する制御部７が、ＬＡＮ３を介して通信可能なネットワークプリンタ１に対して色補正データ生成を許可する命令を送信する。
【０１０３】
（クライアント端末装置２での処理に伴うネットワークプリンタ１での処理）
一方、ネットワークプリンタ１において、その色補正データの生成を許可する許可命令をネットワークプリンタ１の受信部として機能する制御部５が受信した場合には（Ｓ２０７：ＹＥＳ）、許可部として機能する制御部５が、許可フラグを「許可」に設定する（Ｓ２１４）。
【０１０４】
次に、Ｓ２１５に進み、第１実施形態では、保留フラグは「真」であるので（Ｓ２１５：ＹＥＳ）、色補正データが生成される（Ｓ２１３）。そして、色補正データの生成後、保留部によって保留フラグは「偽」に設定される（Ｓ２１３）。
【０１０５】
（第１実施形態の効果）
第１実施形態では、ネットワークプリンタ１が表面画像データの印刷処理終了後であって、裏面画像データの印刷開始前に、ネットワークプリンタ１が色補正データの生成命令を受信していたとしても、色補正データの生成がされることはない。つまり、最初に印刷される表面画像データと次に印刷される裏面画像データとを一連の連続する画像データとして印刷する手動両面印刷を選択することができる。そして、手動両面印刷を選択した場合には、表面と、裏面の印刷が完了するまでは、色補正データの生成が禁止されるため、表面と裏面の画像の色合いが変化することを防ぐことができる。
【０１０６】
また、表面画像データと次に印刷される裏面画像データとを一連の連続する画像データとして印刷している間に、色補正データの生成が指示された場合には、許可フラグが許可になった時点で保留フラグが保留となっていれば、すぐに色補正データが生成される。よって、色補正データの生成が効率よく実行することができる。
【０１０７】
また、本実施形態では、表面画像データの印刷終了後からユーザが印刷開始を押す（Ｓ５１０：ＹＥＳ）まで、色補正データの生成が禁止されている。仮にユーザが印刷開始ボタンを押さずに、時間が延々経過する。すると、ネットワークプリンタ１では色補正データの生成が行われないため困ることになる。そこで、図６のＳ２０８において、ネットワークプリンタ１の受信部として機能する制御部５が色補正データの生成を禁止する禁止命令を受信してから、一定時間として定められた３０分間を経過したかどうかで判断している。３０分間という時間は、ユーザが次の画像データの印刷を指示するのを忘れたと判断する目安の１つである。ゆえに、ユーザが次の画像データの印刷を指示するのを忘れたこ
とによる色補正データの生成の禁止を防ぐことができる。
【０１０８】
２．第２実施形態
[クライアント端末装置の色合い固定連続印刷処理]
図１２のフローチャートを用いて、クライアント端末装置２側の色合い固定連続印刷処理（図８：Ｓ４０５）について説明する。なお、説明の際に、既に説明した図６のネットワークプリンタ１の制御と連動する形で、図１２の色合い固定連続印刷処理を説明する。
【０１０９】
（クライアント端末装置２での処理）
最初に、禁止送信部として機能する制御部７が、ＬＡＮ３を介して通信可能なネットワークプリンタ１に対して色補正データ生成を禁止する禁止命令を送信する（Ｓ６０１）。
【０１１０】
クライアント端末装置２のＨＤＤ２４に記憶されている画像や文書等を作成するプログラムによって１つまたは複数のページで構成されている描画データが作成される。その描画データは、データファイルとしてＨＤＤ２４に記憶される。その際、描画データは、同一もしくは異なるプログラムによって複数種類の描画データが作成される。そして、制御部７は、その複数種類の描画データのうち１つを受信する（Ｓ６０２）。
【０１１１】
（クライアント端末装置２での処理に伴うネットワークプリンタ１での処理）
一方、ネットワークプリンタ１において、手動両面印刷での処理と同様に、ネットワークプリンタ１が色補正データ生成を禁止する禁止命令を受信することによって、許可フラグが「禁止」となる。そして、許可フラグが「許可」でない限り、ネットワークプリンタ１での色補正データの生成が禁止される。
【０１１２】
手動両面印刷処理（図１０：Ｓ５０３）と同様に、描画データは、複数のページで構成されている。そして、全ページの処理が終了しているか否かを判断して、全ページの処理が終了していないときは（Ｓ６０３：ＮＯ）に進み、１ページごとに描画データを画像データに変換する（Ｓ６０４）。そして、１ページごとに変換された画像データをネットワークプリンタ１に送信する（Ｓ６０５）。
【０１１３】
（クライアント端末装置２での処理に伴うネットワークプリンタ１での処理）
一方、ネットワークプリンタ１において、ネットワークプリンタ１の受信部として機能する制御部５が、その画像データを受信する（Ｓ２０５：ＹＥＳ）。Ｓ２０６に移行して、１ページごとに、その画像データの印刷処理が実行される。そして、制御部５は、クライアント端末装置２の制御部７に対して印刷処理が終了したことを送信する（Ｓ２１６）。
【０１１４】
（クライアント端末装置２での処理）
再びクライアント端末装置２での処理に戻る。全ページに対する一連の処理（Ｓ６０４、Ｓ６０５）が終了しているならば（Ｓ６０３：ＹＥＳ）、Ｓ６０６に進む。そして、Ｓ６０６において、送信された画像データ（１つの画像情報の１例）の印刷終了後に、終了確認画面１０７（図１３）が表示部２６に表示される（Ｓ６０６）。ユーザは、キーボード等の操作部２５を用いて表示部２６に表示されている終了確認画面１０７の継続ボタン１０８（連続印刷指示部の１例）もしくは終了ボタン１０９（印刷停止指示部の１例）を選択することができる。
【０１１５】
ユーザは、継続ボタン１０８を押した後に、複数種類の描画データの中から１つの描画データを選択することができる選択画面が表示される。その際、描画データは、同一もしくは異なる画像や文書等を作成するプログラムによって複数種類の描画データがあらかじめ作成されている。データファイルとしてＨＤＤ２４に記憶されている複数種類の描画デ
ータの中から、ユーザは任意の描画データを選択することができる（選択画面に関しては、不図示）。色合い固定連続印刷とは、複数種類の描画データ（画像情報の１例）があって、１つの描画データを印刷終了後、次の描画データも同じ色合いで連続して印刷することを意味する。なお、複数種類の描画データに限定されるわけではなく、同じ描画データを連続して印刷する場合も含む。これは、同じ描画データを１００部とかの単位で印刷したい場合に該当する。
【０１１６】
（クライアント端末装置２での処理に伴うネットワークプリンタ１での処理）
一方、ネットワークプリンタにおいて、手動両面印刷時と同様に、色補正データの生成の実行が指示された場合を考える。その際、許可フラグが「許可」でないため、禁止制御部として機能する制御部５がネットワークプリンタ１での色補正データの生成を禁止している（Ｓ２１０：ＮＯ）。
【０１１７】
（クライアント端末装置２での処理）
再びクライアント端末装置２での処理に戻る。Ｓ６０７において、連続印刷指示部である継続ボタン１０８が押されたかどうかを判断し、押された場合には（Ｓ６０７：ＹＥＳ）、Ｓ６０８〜Ｓ６１２の処理を行う。Ｓ６０８とＳ６０２、Ｓ６０９とＳ６０３、Ｓ６１０とＳ６０４、Ｓ６１１とＳ６０５、Ｓ６１２とＳ６０６の各処理は同じ処理である。Ｓ６１１において、画像データ（次の画像情報の１例）がネットワークプリンタ１に送信される（継続実行部の１例：Ｓ６０８〜Ｓ６１２）。
【０１１８】
（クライアント端末装置２での処理に伴うネットワークプリンタ１での処理）
一方、ネットワークプリンタ１において、ネットワークプリンタ１が、１ページごとに、その画像データを受信する（Ｓ２０５：ＹＥＳ）。Ｓ２０６に移行して、１ページごとに、その画像データの印刷処理が実行される。そして、印刷処理が終了すれば、制御部５は、クライアント端末装置２の制御部７に対して印刷処理が終了したことを送信する。
【０１１９】
（クライアント端末装置２での処理）
再びクライアント端末装置２での処理に戻る。Ｓ６１２において、再び終了確認画面１０７（図１３）が表示部２６に表示される（Ｓ６１２）。そして、ユーザが操作部２５を用いて印刷停止部である終了ボタン１０９を押さない場合には（Ｓ６１３：ＮＯ）となる。そして、再びＳ６０７に戻り連続印刷指示部である継続ボタン１０８が押されたかどうかを判断し、印刷停止部である終了ボタン１０９が押されるまで繰り返される。
【０１２０】
ユーザが次の描画データを引き続き連続印刷したい場合には、終了確認画面１０７上の継続ボタン１０８を選択すればよい。その場合は、Ｓ６０８〜Ｓ６１２の処理が繰り返して実行される。そして、連続印刷指示部によって描画データが選択され続ければ、その間の色補正データの生成は実行されない。
【０１２１】
また、ユーザが次の描画データを印刷する必要がない場合には、終了確認画面１０７上の終了ボタン１０９を選択すればよい（Ｓ６１３：ＹＥＳ）。そして、Ｓ６１４において、許可送信部として機能する制御部７が、ＬＡＮ３を介して通信可能なネットワークプリンタ１に対して色補正データ生成を許可する許可命令を送信する（Ｓ６１４）。
【０１２２】
（クライアント端末装置２での処理に伴うネットワークプリンタ１での処理）
一方、ネットワークプリンタ１において、手動両面印刷時と同様に、その色補正データの生成を許可する許可命令をネットワークプリンタ１の受信部として機能する制御部５が受信すると（Ｓ２０７：ＹＥＳ）、許可部として機能する制御部５が、許可フラグを「許可」に設定する（Ｓ２１４）。
【０１２３】
（第２実施形態の効果）
第２実施形態では、複数の描画データがあって、それらの描画データを同じ色合いで連続して印刷すべき描画データとする色合い固定連続印刷を、第２の選択部によって選択することができる。その色合い固定連続印刷を選択した場合には、連続印刷指示部によって、次の画像情報を連続して印刷することができ、その間は、色補正データの生成は行われず、複数の描画データを印刷した際の画像の色合いがそれぞれ変化することを防ぐことができる。
【０１２４】
また、ユーザが連続印刷指示部である継続ボタン１０８を選択すると、クライアント端末装置２は、次の描画データを連続して印刷することを指示する。それに伴って継続実行部によって、クライアント端末装置２は、描画データが変換された画像データを画像形成装置に送信し続ける。そしてネットワークプリンタ１が、その画像データを印刷している間においては、印刷される画像データの画像の色合いが変化することを防ぐことができる。
【０１２５】
つまり、印刷停止指示部によって印刷しないことを指示されるまでは、ユーザは複数の描画データを印刷する際、一連の連続する描画データとして画像の色合いを変化させることなく印刷することができる。
【０１２６】
なお、第２実施形態でも同様に、色補正データの生成が指示された場合には、許可フラグが許可になった時点で保留フラグが保留となっていれば、すぐに色補正データが生成される。よって、色補正データの生成が効率よく実行することができる。また、ユーザが終了ボタン１０９を押し忘れたことによる不当な色補正データの生成の禁止を、一定時間として定められた３０分間を経過したかどうか（図６：Ｓ２０８）によって、防ぐことができる。
【０１２７】
３．他の実施形態
本発明の実施形態は、第１の実施形態と第２の実施形態に限定されるものではない。第１の実施形体と第２の実施形態を組み合わせても良い。
【図面の簡単な説明】
【０１２８】
【図１】本発明に係るネットワークプリンタ１と、ネットワークプリンタ１に画像情報の印刷を指示するクライアント端末装置２とを含む印刷システム１０の１例を示す構成図である。
【図２】ネットワークプリンタ１の構成を示すブロック図である。
【図３】クライアント端末装置２の構成を示すブロック図である。
【図４】本発明に係るネットワークプリンタの１例を示す外観図である。
【図５】色補正データの生成の指示に関するフローチャート
【図６】ネットワークプリンタ１の色補正データ生成及び印刷処理に関するフローチャート
【図７】ネットワークプリンタ１の印刷実行処理のフローチャート
【図８】クライアント端末装置２の印刷処理の初期設定に関するフローチャート
【図９】印刷設定画面を示すユーザインターフェース１０１
【図１０】手動両面印刷処理のフローチャート
【図１１】裏面の用紙のセットを指示するユーザインターフェース１０５
【図１２】色合い固定連続印刷処理のフローチャート
【図１３】色合い固定連続印刷の終了確認画面のユーザインターフェース１０７
【符号の説明】
【０１２９】
１      ネットワークプリンタ（画像形成装置）
２      クライアント端末装置（情報処理装置）
５      制御部（指示部、色補正データ生成部、受信部、禁止制御部、許可部、保留部）７      制御部（指示部、禁止送信部、継続実行部、許可送信部）
１０    画像形成システム
１１、２１  ＣＰＵ
１２、２１  ＲＯＭ
１３、２３  ＲＡＭ
１４    不揮発性ＲＡＭ
１５    計測部
１６    プリンタ部
１７    操作部
１８    表示部
１９、２７  ＬＡＮ  Ｉ／Ｆ
２０    プリンタポート  Ｉ／Ｆ
２４    ＨＤＤ
２５    操作部（選択部、第１の選択部、第２の選択部、連続印刷指示部、印刷停止部）２６    表示部（選択部、第１の選択部、第２の選択部、連続印刷指示部、印刷停止部）
【図１】
2010108226.tif 000003
【図２】
2010108226.tif 000004
【図３】
2010108226.tif 000005
【図４】
2010108226.tif 000006
【図５】
2010108226.tif 000007
【図６】
2010108226.tif 000008
【図７】
2010108226.tif 000009
【図８】
2010108226.tif 000010
【図９】
2010108226.tif 000011
【図１０】
2010108226.tif 000012
【図１１】
2010108226.tif 000013
【図１２】
2010108226.tif 000014
【図１３】
2010108226.tif 000015